(57)【要約】【課題】有料道路自動料金収受システムにおいて車両に搭載する車載装置が何らかの異常を検出した場合、新規な機構を設けずに、車両の乗員が異常の内容および異常に対する対処方法を確認することができる機能を有する車載装置を提供すること。【解決手段】異常検出手段により車載装置の異常が検出された場合、車載装置に挿入されたＥＴＣカードの履歴情報を参照できる履歴ボタンの機能を切り替える。そして機能を切り替えた履歴ボタンを押下すると異常検出手段により検出した車載装置の異常の内容を確認することができる。これにより、従来では車載装置がＥＴＣカードを正常に認識していない場合、機能が割り当てられていなかった履歴ボタンを任意報知手段として有効に活用することができる。その結果、車両の乗員は車載装置に新規な機構を設けずに、車載装置に関する異常の内容を再度確認することができる。【選択図】図２
2011128689.tif 000002
【特許請求の範囲】
【請求項１】
自車両に搭載されている車載装置の異常を検出する異常検出手段と、
前記異常検出手段により車載装置の異常が検出された場合に、車載装置の異常を報知する報知手段とを備える車載装置において、
前記異常検出手段により検出した車載装置の異常をトリガとして、車載装置に挿入されたＩＣカードの履歴情報を参照できる履歴ボタンの機能を自動的に切り替える履歴ボタン機能切り替え手段と、
前記履歴ボタン機能切り替え手段により自動的に機能が切り替わった前記履歴ボタンを押下することにより、前記異常検出手段により検出した車載装置の異常を任意に報知することができる任意報知手段と、
を備えることを特徴とする車載装置。
【請求項２】
請求項１記載の車載装置であって、
前記異常検出手段により検出した車載装置の異常に対する対処方法を表すメッセージを記憶する記憶手段を備え、
前記報知手段および前記任意報知手段において、前記異常検出手段により検出した車載装置の異常に対応する前記メッセージを報知すること、
を特徴とする車載装置。
【請求項３】
請求項１又は２記載の車載装置であって、
前記記憶手段は、前記異常検出手段により検出した車載装置の異常の内容および異常の回数を記憶し、
前記報知手段および前記任意報知手段は、前記記憶手段に記憶された車載装置の異常の内容および異常の回数に基づいて報知する内容を決定すること、
を特徴とする車載装置。
【請求項４】
請求項１乃至３記載の車載装置であって、
前記任意報知手段は、前記履歴ボタン機能切り替え手段により自動的に前記履歴ボタンの機能が切り替わった場合、任意報知手段を作動させるための操作を誘導する操作誘導手段を備えていること、
を特徴とする車載装置。
【請求項５】
請求項４記載の車載装置であって、
前記操作誘導手段は、前記履歴ボタンを押下することにより、前記異常検出手段により検出した車載装置の異常を再度確認可能であることを報知すること、
を特徴とする車載装置。
【発明の詳細な説明】
【技術分野】
【０００１】
本発明は、有料道路自動料金収受システム（以下、ＥＴＣ（登録商標）とも記載する）において車両に搭載するＥＴＣ車載装置が異常を検出した場合に報知するＥＴＣ車載装置に関する。
【背景技術】
【０００２】
従来、自動車専用道路における料金所において、有料道路自動料金収受システムを利用するため車両に設置するＥＴＣ車載装置が何らかの異常を検出した場合、車両の乗員に警告を発する技術が知られている。例えば、特許文献１において、ＥＴＣ車載装置、又は、ＥＴＣ車載装置と連動しているナビゲーション装置は複数種類の異常の内容および異常に対する対処方法を表すメッセージを有しており、ＥＴＣ車載装置が何らかの異常を検出した場合、ＥＴＣ車載装置、又は、連動しているナビゲーション装置により、車両の乗員に対して異常の内容および異常に対する適切な対処方法を表すメッセージを発する技術が開示されている。
【先行技術文献】
【特許文献】
【０００３】
【特許文献１】特開２００５−２７５７５３号公報
【発明の概要】
【発明が解決しようとする課題】
【０００４】
しかし、特許文献１記載の従来技術では、ＥＴＣ車載装置が検出した異常に対応するメッセージを車両の乗員に対して一方的に発するため、乗員がメッセージの内容を的確に理解できないという問題がある。また、ＥＴＣ車載装置に対して乗員が任意にメッセージの内容を確認することができる機能を追加する場合、ＥＴＣ車載装置は小形であるため設置スペースの確保が問題となる。さらに、設置コストの観点から新規な機構を設けることは望ましくなく、従来の機構を利用したいという要望がある。
【０００５】
そこで、本発明はこのような問題に鑑みてなされたものであり、ＥＴＣ車載装置が何らかの異常を検出した場合、新規な機構を設けずに、車両の乗員が任意に車載装置の異常を確認することができる機能を有するＩＣ車載装置を提供することを目的とする。
【課題を解決するための手段】
【０００６】
上記課題を解決するために、請求項１に記載の発明は、自車両に搭載されている車載装置の異常を検出する異常検出手段と、前記異常検出手段により車載装置の異常が検出された場合に、車載装置の異常を報知する報知手段とを備える車載装置において、前記異常検出手段により検出した車載装置の異常をトリガとして、車載装置に挿入されたＥＴＣカードの履歴情報を参照できる履歴ボタンの機能を自動的に切り替える履歴ボタン機能切り替え手段と、前記履歴ボタン機能切り替え手段により自動的に機能が切り替わった前記履歴ボタンを押下することにより、前記異常検出手段により検出した車載装置の異常を任意に報知することができる任意報知手段とを備えることを特徴とする。
【０００７】
請求項１に記載の発明によれば、従来では車載装置がＩＣカードを正常に認識していない場合、機能が割り当てられていなかった履歴ボタンを任意報知手段として有効に活用することができる。その結果、車両の乗員は車載装置に新規な機構を設けずに、車載装置に関する異常の内容を再度確認することができる。
【０００８】
また、請求項２に記載の発明は、請求項１に記載の車載装置であって、前記異常検出手段により検出した車載装置の異常に対する対処方法を表すメッセージを記憶する記憶手段を備え、前記報知手段および前記任意報知手段において、前記異常検出手段により検出した車載装置の異常に対応する前記メッセージを報知することを特徴とする。
【０００９】
請求項２に記載の発明によれば、車両の乗員は、車載装置に発生した異常に対する対処方法を知ることができる。
【００１０】
また、請求項３に記載の発明は、請求項１又は２に記載の車載装置であって、前記記憶手段は、前記異常検出手段により検出した車載装置の異常の内容および異常の回数を記憶し、前記報知手段および前記任意報知手段は、前記記憶手段に記憶された車載装置の異常の内容および異常の回数に基づいて報知する内容を決定することを特徴とする。
【００１１】
請求項３に記載の発明によれば、車両の乗員は、車載装置に発生した異常の内容および異常の回数に応じた適切な対処方法を知ることができる。
また、請求項４に記載の発明は、請求項１乃至３に記載の車載装置であって、前記任意報知手段は、前記履歴ボタン機能切り替え手段により自動的に前記履歴ボタンの機能が切り替わった場合、任意報知手段を作動させるための操作を誘導する操作誘導手段を備えていることを特徴とする。
【００１２】
また、請求項５に記載の発明は、請求項４に記載の車載装置であって、前記操作誘導手段は、前記履歴ボタンを押下することにより、前記異常検出手段により検出した車載装置の異常を再度確認可能であることを報知することを特徴とする。
【００１３】
請求項４又は５に記載の発明によれば、車両の乗員は車載装置が任意報知手段を有していることを知ることができる。よって、車両の乗員は車載装置に関する異常の内容および異常に対する対処方法を再度確認することができる。
【図面の簡単な説明】
【００１４】
【図１】本発明におけるＥＴＣ車載装置の構成図である。
【図２】本発明における実施形態のフローチャートを示す図である。
【図３】本発明において記憶装置に記憶されるＥＴＣ車載装置の異常に関する情報の一例を示す図である。
【発明を実施するための形態】
【００１５】
以下に本発明の実施例について図面を用いて説明する。
（実施例）
図１は、本発明の実施形態を実現するＥＴＣ車載装置１０の構成図である。
【００１６】
ＥＴＣ車載装置１０は、ＥＴＣ車載装置１０全体のデータ処理を行うデータ処理部１１と、記憶装置１２と、音声発生部１３とからなる。データ処理部１１は、ＥＴＣ車載装置の異常を検出する異常検出手段１１ａと、異常検出手段により検出したＥＴＣ車載装置の異常をトリガとして、ＥＴＣ車載装置に挿入されたＥＴＣカードの履歴情報を参照できる履歴ボタンの機能を自動的に切り替える履歴ボタン機能切り替え手段１１ｂと、車両の乗員がＥＴＣ車載装置の異常等を任意に確認することができる任意報知手段１１ｃと、車両の乗員に対して任意報知手段１１ｃの操作を誘導する操作誘導手段１１ｄを備える。記憶装置１２はＥＴＣ車載装置１０のエラーコードと、各エラーコードに対応した異常の内容および異常に対する対処方法を表すメッセージを記憶している。また、異常検出手段１１ａが検出した車載装置の異常に関する情報も記憶している。音声発生部１３はＥＴＣカードの履歴情報やＥＴＣ車載装置の異常の内容および異常の内容に対する対処方法等を音声により発するものである。
【００１７】
次に、ＥＴＣ車載装置１０が行う一連の主要動作について、図２のフローチャートを用いて説明する。なお、本処理は、ＥＴＣ車載装置１０の電源がオンされることにより開始される。
【００１８】
最初に、異常検出手段１１ａは、ＥＴＣ車載装置に異常が発生したか否か判定を行う（ステップ２０１）。異常が検出された場合はステップ２０２に進み、異常が検出されない場合はステップ２０１に戻り、処理を繰り返す。
【００１９】
次に、データ処理部１１は、ステップ２０１で検出された異常に対応するエラーコードおよびエラーコードに対応した異常の内容を表すメッセージを記憶装置１２から取得し、音声発生部１３により報知する（ステップ２０２）。
【００２０】
次に、履歴ボタン機能切り替え手段１１ｂは、履歴ボタンの機能を、履歴ボタンが押下された場合にステップ２０１で検出した異常の内容および異常に対する対処方法を表すメッセージを報知する機能に切り替える（ステップ２０３）。
【００２１】
次に、操作誘導手段１１ｄは、ステップ２０３において履歴ボタンの機能が切り替わった結果、履歴ボタンを押下することにより、異常検出手段１１ａにより検出したＥＴＣ車載装置１０の異常に対応するメッセージを再度、確認可能であることを車両の乗員へ音声で報知し、車両の乗員による履歴ボタンの操作を誘導する（ステップ２０４）。
【００２２】
次に、データ処理部１１は、車両の乗員が履歴ボタンを押下したか否か判定する（ステップ２０５）。履歴ボタンが押下された場合はステップ２０６に進み、任意報知手段１１ｃは音声発生部１３によりステップ２０１で検出された異常に対応するエラーコードおよびエラーコードに対応した異常の内容を表すメッセージを報知する（ステップ２０６）。履歴ボタンが押下されない場合は、ステップ２０１に戻り処理を繰り返す。なお、本処理はＥＴＣ車載装置１０の電源がオンされている限り繰り返される。
【００２３】
さて上記実施例では、ステップ２０２およびステップ２０６において、異常検出手段１１ａにより検出された異常に対応するエラーコードおよびエラーコードに対応した異常の内容を表すメッセージを報知したが、異常に対する対処方法を表すメッセージを記憶装置１２から取得し報知するようにしてもよい。このようにすれば、車両の乗員はＥＴＣ車載装置に異常が発生した場合、異常に対する対処方法を知ることができるため、異常に対する処置を適切に行うことができる。
【００２４】
また、ステップ２０２およびステップ２０６において、ステップ２０１で検出されたＥＴＣ車載装置の異常の内容およびその回数に基づいて報知内容を決定するようにしてもよい。具体的には、ステップ２０１において、異常検出手段１１ａがＥＴＣ車載装置の異常を検出した際、記憶装置１２は検出した異常に関する情報を記憶する。この時、記憶装置１２は、ＥＴＣ車載装置から検出された異常の発生順序が分かるように、例えば、図３に示すようにエラーコードおよび異常が発生した時間を併せて記憶する。次に、ステップ２０２およびステップ２０６において、記憶装置１２に記憶されたＥＴＣ車載装置の異常に関する情報に基づいて報知内容を決定する。例えば、ＥＴＣカードの認証エラーが発生したとする。このエラーの原因としてはＥＴＣ車載装置とＥＴＣカードの電気的接触不良が考えられるため、ＥＴＣカードを再度挿入することによって異常が解消する場合が多い。そのため、ＥＴＣカードの認証エラーが所定の回数、例えば連続して発生した回数が３回以内の場合、車両の乗員にＥＴＣカードを再度挿入するように報知を行う。また、ＥＴＣカードの認証エラーが連続して４回以上発生した場合は、ＥＴＣ車載装置とＥＴＣカードの電気的接触不良以外の原因が考えられるため、ＥＴＣカードが異常である等、別の内容の報知を行う。なお、先に記載した所定の回数は、例えば、記憶装置１２にこれまで連続して記憶されている同じエラーコードの回数のうち、その最大値を所定の回数としてもよい。このようにすれば、車両の乗員はＥＴＣ車載装置の異常の内容およびその回数に応じた適切な対処方法を知ることができる。
【００２５】
以上説明したように、本実施例によれば従来ではＥＴＣ車載装置がＥＴＣカードを正常に認識していない場合、機能が割り当てられていなかった履歴ボタンを任意報知手段１１ｃとして有効に活用することができる。その結果、車両の乗員はＥＴＣ車載装置に新規な機構を設けずに、任意にＥＴＣ車載装置に関する異常の内容および異常に対する対処方法を確認することができる。
【００２６】
以上、本発明の好ましい実施例について説明したが、本発明は上記実施例に限定されることはなく、本発明の技術的範囲に存在する限り、様々な形態を採りうる。
【００２７】
例えば、上述の実施例において、音声発生部１３により音声でＥＴＣ車載装置の異常に関するメッセージを報知するようにしているが、ディスプレイにより表示するようにしてもよい。
【００２８】
また、異常の内容および異常に対する対処方法を表すメッセージをテキストデータで保存しておき、テキストデータから音声データヘ変換する、所謂、テキスト・ツー・スピーチ（ＴＴＳ）プログラムを用いて、再生しても良い。これにより、異常の対処方法などの情報量が増えた場合であっても、ＥＴＣ車載装置における記憶容量を抑制することができるため、ＥＴＣ車載装置の小型化に適している。
【００２９】
更に、操作誘導手段１１ｄは、ＥＴＣ車載装置の設定により操作誘導手段１１ｄの使用を切り替えるようにしてもよい。このようにすれば、車両の乗員にとって操作誘導手段１１ｄが既知である場合、煩わしい案内を防ぐことができる。
【００３０】
そして、操作誘導手段１１ｄは、音声による報知に限らず、例えば、履歴ボタンに埋設されたＬＥＤ等よりなる照明を所定時間点灯し、履歴ボタンを強調することにより、履歴ボタンの操作を誘導しても良い。
【符号の説明】
【００３１】
１１ａ  異常検出手段
１１ｂ  履歴ボタン機能切り替え手段
１１ｃ  任意報知手段
１１ｄ  操作誘導手段
１２    記憶装置
【図１】
2011128689.tif 000003
【図２】
2011128689.tif 000004
【図３】
2011128689.tif 000005